(57)【要約】【課題】帯締めを収容した際に房の変形を抑制することができるとともに、複数の帯締めや帯揚げを同時かつ整然と収容することができ、収容された帯締めや帯揚げを視認することが可能な、収容ケースを提供する。【解決手段】  帯締め２０および／または帯揚げ３０を収容する収容ケース１０は、それぞれ一本ずつ折り畳まれた帯締め２０、および／または、それぞれ１枚ずつ折り畳まれた帯揚げ３０を収容する複数の収容部１１を備えている。複数の収容部１１は、並列して配置されている。各収容部１１は、収容部１１の内部を視認可能な布状の部材４０から構成されている。【選択図】図１
2019136449.tif 000002
【特許請求の範囲】
【請求項１】
帯締めおよび／または帯揚げを収容する収容ケースであって、
それぞれ一本ずつ折り畳まれた帯締め、および／または、それぞれ１枚ずつ折り畳まれた帯揚げを収容する複数の収容部を備え、
前記複数の収容部は、並列して配置され、
各前記収容部は、前記収容部の内部を視認可能な布状の部材から構成されている、収容ケース。
【請求項２】
前記複数の収容部に、カバーが接続され、前記カバーは、前記複数の収容部側に折り畳まれて前記複数の収容部を覆うことが可能であり、前記カバーは、前記布状の部材から構成されている、請求項１に記載の収容ケース。
【請求項３】
前記布状の部材は、オーガンジーを含む、請求項１または２に記載の収容ケース。
【発明の詳細な説明】
【技術分野】
【０００１】
本発明は、収容ケースに関する。
【背景技術】
【０００２】
従来から、婦人用の和服を着用する際には、帯締めが用いられている。帯締めは、着物の帯が崩れないように帯を締めるものであり、一般的には、仕切りが設けられた桐製の木箱等に収納される。そして、帯締めを木箱に収納する場合、帯締めの房が折れ曲がらないように帯締めを収納することが求められている。このため、帯締めを収納する際には、紙や布により房を包み込み、房に変形や乱れが生じないようにする必要がある。また、この場合、収納される全ての帯締めの房を紙や布で包み込む必要があり、この作業に非常に手間がかかるという問題点がある。
【０００３】
これに対して、布状体や合成樹脂シートの表裏に２か所、合計４か所に面テープを配置することにより、帯締めの房を収納する部分と、帯締めのひもを収納する部分とを一枚の布状体や合成樹脂シートにより包み込むように構成された帯締め収納具が知られている（例えば、特許文献１）。
【先行技術文献】
【特許文献】
【０００４】
【特許文献１】特開２０１３−１６７０４１号公報
【発明の概要】
【発明が解決しようとする課題】
【０００５】
しかしながら、特許文献１に示す帯締め収納具においては、収納することができる帯締めは、１つの帯締め収納具につき一本であり、複数の帯締めを外出先に持ち運ぶ場合には、複数の収納具を持ち運ぶ必要がある。このため、複数の帯締めを外出先に持ち運ぶ場合には、このような帯締め収納具は不向きといえる。また、外出する際には、帯締めだけでなく、着物の帯の上部を飾る帯揚げを持ち運ぶ場合も多々あり、複数の帯締めや複数の帯揚げを同時に収容することができる収容ケースが求められている。
【０００６】
一方、帯締めを桐製の木箱に収納する場合、木箱は、保管場所に所定のスペースを必要とするといった問題点がある。また、帯締めを桐製の木箱に収納する場合、木箱内に複数の帯締めを整然と収納することは困難である。また、桐製の木箱は、重量が大きく、外出する際に持ち運ぶことは困難である。さらに、木箱の中は、外部から視認することができないため、複数の木箱に帯締めを収納していた場合、使用する帯締めを選択する際に、所望の帯締めを見つけ出すことが難しいという問題点もある。
【０００７】
本発明は、このような点を考慮してなされたものであり、帯締めを収容した際に房の変形を抑制することができるとともに、複数の帯締めや帯揚げを同時かつ整然と収容することができ、収容された帯締めや帯揚げを視認することが可能な、収容ケースを提供することを目的とする。
【課題を解決するための手段】
【０００８】
本発明は、帯締めおよび／または帯揚げを収容する収容ケースであって、それぞれ一本ずつ折り畳まれた帯締め、および／または、それぞれ１枚ずつ折り畳まれた帯揚げを収容する複数の収容部を備え、前記複数の収容部は、並列して配置され、各前記収容部は、前記収容部の内部を視認可能な布状の部材から構成されている、収容ケースである。
【０００９】
本発明は、前記複数の収容部に、カバーが接続され、前記カバーは、前記複数の収容部側に折り畳まれて前記複数の収容部を覆うことが可能であり、前記カバーは、前記布状の部材から構成されている、収容ケースである。
【００１０】
本発明は、前記布状の部材は、オーガンジーを含む、収容ケースである。
である。
【発明の効果】
【００１１】
本発明によれば、帯締めを収容した際に房の変形を抑制することができるとともに、複数の帯締めや帯揚げを同時かつ整然と収容することができ、収容された帯締めや帯揚げを視認することができる。
【図面の簡単な説明】
【００１２】
【図１】図１は、本実施の形態による収容ケースを示す斜視図である。
【図２】図２は、本実施の形態による収容ケースを示す平面図である。
【図３】図３（ａ）−（ｄ）は、本実施の形態による収容ケースの作製方法を示す平面図である。
【図４】図４（ａ）−（ｄ）は、本実施の形態による収容ケースの使用方法を示す斜視図である。
【図５】図５（ａ）−（ｂ）は、本実施の形態の変形例による収容ケースを示す平面図である。
【発明を実施するための形態】
【００１３】
以下、本発明の一実施の形態について、図１乃至図４を参照して説明する。なお、以下の各図において、同一部分には同一の符号を付しており、一部詳細な説明を省略する場合がある。
【００１４】
まず、図１により、本実施の形態による収容ケースに収容される帯締めおよび帯揚げについて説明する。
【００１５】
図１に示すように、帯締め２０は、紐部２１と、紐部２１の両端部に設けられた一対の房２２とを有している。このような帯締め２０の全長は、例えば１３５０ｍｍ以上１７５０ｍｍ以下程度であり、帯締め２０は、例えば３つ折りにされた状態で、収容部１１の後述する帯締め用収容部１１ａ内に収容される。なお、帯締め２０は、例えば２つ折りにされた状態で、帯締め用収容部１１ａ内に収容されても良い。
【００１６】
帯揚げ３０は、略矩形状の布状の部材から構成されている。このような帯揚げ３０の寸法は、例えば２３０ｍｍ×１６０ｍｍ程度であり、帯揚げ３０は、例えば４つ折りにされた状態で、収容部１１の後述する帯揚げ用収容部１１ｂ内に収容される。
【００１７】
収容ケースの構成
次に、図１および図２により、本実施の形態による収容ケースの概略について説明する。
【００１８】
図１および図２に示すように、収容ケース１０は、それぞれ一本ずつ折り畳まれた帯締め２０およびそれぞれ１枚ずつ折り畳まれた帯揚げ３０を収容する複数の収容部１１を備えている。複数の収容部１１は、並列して配置されており、帯締め２０を収容するための帯締め用収容部１１aと、帯揚げ３０を収容するための帯揚げ用収容部１１ｂとを有している。本実施の形態においては、４つの帯締め用収容部１１ａと、２つの帯揚げ用収容部１１ｂとが並列して配置されている。
【００１９】
このうち４つの帯締め用収容部１１ａは、互いに隣接するように配置されている。また、帯揚げ用収容部１１ｂは、２つの帯揚げ用収容部１１ｂが、互いに隣接するように配置されている。
【００２０】
このような各収容部１１は、収容部１１の内部を視認可能な布状の部材４０から構成されている。すなわち、各収容部１１は、後述するように、１枚の布状の部材４０を折り畳み、重ね合わされた布状の部材４０同士を縫い合わせることによって形成されている。このため、各収容部１１は、布状の部材４０を折り曲げた際の折り目４１および布状の部材４０同士を縫い合わせた縫い目４２によって画定されている。また、各収容部１１には、重ね合わされた布状の部材４０によって画定されるとともに、帯締め２０または帯揚げ３０を内部に収容するための開口４３が形成されている。このように、収容ケース１０を布状の部材４０から構成することにより、収容ケース１０の軽量化を図ることができ、かつ、収容ケース１０の柔軟性を向上させることもできる。これにより、収容ケース１０を折り畳むことができ、または丸めることができる。このため、帯締め２０および帯揚げ３０を収容した収容ケース１０を、狭いスペースに保管することもできる。
【００２１】
また、各収容部１１を構成する布状の部材４０は、オーガンジーを含んでいることが好ましい。これにより、収容ケース１０に和風の雰囲気を付与することができる。また、オーガンジーは、薄手で透けた生地からなるため、収容部１１の内部に収容された帯締め２０または帯揚げ３０を外部から視認することができる。この場合、オーガンジーは、赤色、青色、黄色、緑色、茶色、黒色、白色等の色に着色されていても良いが、収容ケース１０に和風の雰囲気を付与する観点からは、白色であることが好ましい。なお、布状の部材４０は、収容部１１の内部を視認可能な布状の部材であれば任意であり、例えばチュールを含んでいても良い。布状の部材４０がチュールを含んでいる場合であっても、チュールは、細かい網目模様を有する薄手で透けた生地からなるため、収容部１１の内部に収容された帯締め２０または帯揚げ３０を外部から視認することができる。
【００２２】
次に、各収容部１１（帯締め用収容部１１ａおよび帯揚げ用収容部１１ｂ）の構成について更に説明する。
【００２３】
図２に示すように、各々の帯締め用収容部１１ａは、平面視において、略矩形状に形成されている。これらの帯締め用収容部１１ａの幅Ｗ１は、それぞれ３５ｍｍ以上７０ｍｍ以下とすることができ、一例として、５０ｍｍであっても良い。このような寸法とすることにより、帯締め用収容部１１ａが、例えば３つ折りにされた状態で帯締め用収容部１１ａ内に収容された帯締め２０を保持することができ、帯締め２０が帯締め用収容部１１ａに対して容易に移動しないようにすることができる。また、各帯締め用収容部１１ａの高さＨ１は、それぞれ２１０ｍｍ以上３３０ｍｍ以下とすることができ、一例として、２７．５ｍｍであっても良い。帯締め用収容部１１ａの高さＨ１を２１０ｍｍ以上とすることにより、例えば３つ折りにされた帯締め２０を帯締め用収容部１１ａ内に収容した際に、帯締め２０の一対の房２２を帯締め用収容部１１ａ内に位置させることができ、帯締め２０の房２２に変形や乱れが生じることを抑制することができる。また、帯締め用収容部１１ａの高さＨ１を３３０ｍｍ以下とすることにより、例えば３つ折りにされた状態で帯締め用収容部１１ａ内に収容された帯締め２０を、帯締め用収容部１１ａから容易に取り出すことができる。なお、帯締め用収容部１１ａが配置される数は任意であり、収容ケース１０の寸法により、適宜選択することができる。
【００２４】
また、図２に示すように、各々の帯揚げ用収容部１１ｂは、平面視において、略矩形状に形成されている。これらの帯揚げ用収容部１１ｂの幅Ｗ２は、それぞれ１６０ｍｍ以上２００ｍｍ以下とすることができ、一例として、１８５ｍｍであっても良い。このような寸法とすることにより、帯揚げ用収容部１１ｂが、例えば４つ折りにされた状態で帯揚げ用収容部１１ｂ内に収容された帯揚げ３０を保持することができ、帯揚げ３０が帯揚げ用収容部１１ｂに対して容易に移動しないようにすることができる。また、各帯揚げ用収容部１１ｂの高さは、上述した帯締め用収容部１１ａの高さＨ１と同様とすることができる。このような寸法とすることにより、例えば４つ折りにされた状態で帯揚げ用収容部１１ｂ内に収容された帯揚げ３０を、帯揚げ用収容部１１ｂから容易に取り出すことができる。なお、帯揚げ用収容部１１ｂが配置される数は任意であり、収容ケース１０の寸法により、適宜選択することができる。
【００２５】
また、図１および図２に示すように、複数の収容部１１に、カバー１２が接続されている。このカバー１２は、収容部１１側に折り畳まれて複数の収容部１１を覆うことが可能になっている。すなわち、カバー１２は、収容部１１側に折り畳まれることにより、各収容部１１の開口４３を塞ぎ、各収容部１１内から帯締め２０や帯揚げ３０が落下することを抑制する役割を果たす。このカバー１２は、上述した布状の部材４０から構成されており、後述するように、複数の収容部１１およびカバー１２は、１枚の布状の部材４０から構成されている。本実施の形態においては、カバー１２は、単一の部材として構成されており、収容部１１側に折り畳まれた際に、複数の収容部１１の全てを覆うことが可能になっている。この場合、カバー１２は、収容部１１側に折り畳まれて収容部１１を覆った際、高さ方向（図２に示すＨ１に平行な方向）において、収容部１１の５０％以上を覆うことが好ましい。ところで、使用者が、帯締め２０および帯揚げ３０が各収容部１１内に収容された収容ケース１０を持ち運ぶ場合、後述するように、収容ケース１０を折り畳むか、あるいは収容ケース１０を丸めて持ち運ぶものと考えられる。この際、使用者は、例えば折り畳まれた収容ケース１０の高さ方向における略中央部分を把持するものと考えられる。この場合、カバー１２が、高さ方向において、収容部１１の５０％以上を覆うことにより、使用者が収容ケース１０を把持した際に、使用者が折り畳まれたカバー１２を保持することができる。このため、収容ケース１０を持ち運んだ際に、帯締め２０や帯揚げ３０が各収容部１１から落下する不具合を好適に抑制することができる。また、カバー１２の高さＨ２は、１４０ｍｍ以上２７０ｍｍ以下とすることができ、一例として、２１ｍｍであっても良い。
【００２６】
次に、このような構成からなる本実施の形態の作用について説明する。ここでは、収容ケースの作製方法および収容ケースの使用方法について説明する。
【００２７】
収容ケースの作製方法
【００２８】
まず、図３（ａ）に示すように、１枚の布状の部材４０を準備する。この際、例えば、布状の部材４０は、オーガンジーを含んでいても良い。また、布状の部材４０の寸法は、例えば縦（図３に示す上下方向）７６０ｍｍ×横（図３に示す左右方向）５６０ｍｍとすることができる。なお、布状の部材４０を準備する際に、布状の部材４０の外縁４４近傍に刺繍等の装飾を施しても良い。これにより、収容ケース１０の意匠性を向上させることができる。
【００２９】
次に、図３（ｂ）に示すように、布状の部材４０の一部を折り畳み、布状の部材４０同士を重ね合わせる。
【００３０】
次いで、図３（ｃ）に示すように、重ね合わされた布状の部材４０の一対の側端部４５同士を、例えばミシンにより縫い合わせる。
【００３１】
次に、図３（ｄ）に示すように、重ね合わされた布状の部材４０同士が縫い合わされ、折り目４１および布状の部材４０同士を縫い合わせた縫い目４２によって画定された複数の収容部１１が形成される。そして、布状の部材４０が重ね合わされていない領域によって、カバー１２が形成される。
【００３２】
このようにして、複数の収容部１１を備え、複数の収容部１１にカバー１２が接続された収容ケース１０が作製される。
【００３３】
収容ケースの使用方法
【００３４】
次に、収容ケースの使用方法について説明する。なお、図４においては、図面を明瞭にするために、各収容部１１内に収容された帯締め２０および帯揚げ３０の図示は省略する。
【００３５】
まず、複数の収容部１１内に、帯締め２０および帯揚げ３０をそれぞれ収容する。この際、各々の帯締め用収容部１１ａ内に、例えば３つ折りにされた帯締め２０が一本ずつ収容される。このように、各々の帯締め用収容部１１ａに帯締め２０を一本ずつ収容することにより、帯締め２０の房２２を真っ直ぐに維持することができ、帯締め２０の房２２に変形や乱れが生じることを抑制することができる。また、帯揚げ３０は、例えば４つ折りにされ、帯揚げ用収容部１１ｂ内に収容される。
【００３６】
次に、図４（ａ）に示すように、カバー１２を複数の収容部１１側に折り畳む。これにより、図４（ｂ）に示すように、複数の収容部１１がカバー１２により覆われ、各収容部１１の開口４３（図１および図２参照）がカバー１２により塞がれる。この場合、複数の収容部１１およびカバー１２が、収容部１１の内部を視認可能な布状の部材４０から構成されているため、収容ケース１０を外部から視認することにより、所望の帯締め２０や帯揚げ３０を容易に見つけ出すことができる。なお、収容ケース１０を収納箪笥等に収納する際には、図４（ｂ）に示す状態において、収容ケース１０を収納箪笥等に収納するようにしても良い。
【００３７】
次いで、図４（ｃ）−（ｄ）に示すように、カバー１２が複数の収容部１１を覆った状態で、収容ケース１０を折り畳む。この際、収容ケース１０は、例えば幅方向に３つ折りにされる。この場合、例えば、まず、２つの帯揚げ用収容部１１ｂ間の縫い目４２を折り目として、収容部１１側に折り畳まれたカバー１２同士が対向するように、収容ケース１０を折り畳む（図４（ｃ）参照）。このようにして、２つの帯揚げ用収容部１１ｂが重ね合わされ、２つの帯揚げ用収容部１１ｂを覆ったカバー１２が、２つの帯揚げ用収容部１１ｂによって挟持される。次に、帯締め用収容部１１ａと帯揚げ用収容部１１ｂとが隣接する部分の縫い目４２を折り目として、重ね合わされた２つの帯揚げ用収容部１１ｂが、４つの帯締め用収容部１１ａ上に位置するように、収容ケース１０を折り畳む（図４（ｄ）参照）。このようにして、収容ケース１０が折り畳まれる。この際、帯締め用収容部１１ａおよび帯揚げ用収容部１１ｂを覆ったカバー１２が、帯締め用収容部１１ａおよび帯揚げ用収容部１１ｂによって挟持される。このようにして、カバー１２が複数の収容部１１を覆った状態が維持される。このため、外出する際に、帯締め２０や帯揚げ３０が収容された収容ケース１０を持ち運んだ場合であっても、帯締め２０や帯揚げ３０が各収容部１１内から落下する不具合を防止することができる。なお、図示はしないが、収容ケース１０は、折り畳まれることなく、丸められても良い。
【００３８】
以上説明したように、本実施の形態によれば、収容ケース１０は、それぞれ一本ずつ折り畳まれた帯締め２０、および／または、それぞれ１枚ずつ折り畳まれた帯揚げ３０を収容する複数の収容部１１を備え、複数の収容部１１は、並列して配置され、各収容部１１は、収容部１１の内部を視認可能な布状の部材４０から構成されている。これにより、複数の帯締め２０および帯揚げ３０を１つの収容ケース１０により整理して保管することができる。このため、収容ケース１０により、複数の帯締めや帯揚げを同時かつ整然と収容することができる。また、各帯締め用収容部１１ａに、それぞれ一本ずつ帯締め２０を折り畳んで収容することができるため、帯締め２０の房２２を真っ直ぐに維持することができ、房２２が変形する不具合を抑制することができる。また、複数の収容部１１が、並列して配置され、各収容部１１が、収容部１１の内部を視認可能な布状の部材４０から構成されていることにより、各収容部１１内に収容された各々の帯締め２０および帯揚げ３０を外部から視認することができる。このため、使用したい帯締め２０および帯揚げ３０を容易に見つけ出すことができる。さらに、各収容部１１が布状の部材４０から構成されていることにより、収容ケース１０の軽量化を図ることができ、かつ、収容ケース１０の柔軟性を向上させることもできる。これにより、収容ケース１０を折り畳むことができ、または丸めることができる。このため、帯締め２０および帯揚げ３０を収容した収容ケース１０を、狭いスペースに保管することもできる。
【００３９】
また、本実施の形態によれば、複数の収容部１１に、カバー１２が接続され、カバー１２は、複数の収容部１１側に折り畳まれて複数の収容部１１を覆うことが可能である。これにより、収容ケース１０を持ち運んだ際に、帯締め２０および帯揚げ３０が収容部１１から落下する不具合を防止することができる。また、カバー１２は、収容部１１の内部を視認可能な布状の部材４０から構成されている。これにより、複数の収容部１１がカバー１２により覆われた状態であっても、各収容部１１内に収容された各々の帯締め２０および帯揚げ３０を外部から視認することができる。このため、使用したい帯締め２０および帯揚げ３０を容易に見つけ出すことができる。
【００４０】
さらに、本実施の形態によれば、布状の部材４０は、オーガンジーを含んでいる。これにより、収容ケース１０に対して和風の雰囲気を付与することができる。また、オーガンジーは、薄手で透けた生地からなるため、収容部１１の内部に収容された帯締め２０または帯揚げ３０を外部から視認することができる。
【００４１】
なお、本実施の形態において、複数の収容部１１が、帯締め２０を収容するための帯締め用収容部１１aと、帯揚げ３０を収容するための帯揚げ用収容部１１ｂとを有している例について説明したが、これに限られるものではない。例えば、図５（ａ）に示すように、複数の収容部１１が、帯締め２０を収容するための帯締め用収容部１１aのみを有していても良い。この場合においても、複数の帯締め２０を１つの収容ケース１０に収容することができる。また、図５（ｂ）に示すように、複数の収容部１１が、帯揚げ３０を収容するための帯揚げ用収容部１１ｂのみを有していても良い。この場合においても、複数の帯揚げ３０を１つの収容ケース１０に収容することができる。
【００４２】
また、本実施の形態において、４つの帯締め用収容部１１aが互いに隣接するように配置され、２つの帯揚げ用収容部１１ｂが互いに隣接するように配置されている例について説明したが、これに限られるものではない。例えば、図示はしないが、帯締め２０を収容するための帯締め用収容部１１aと、帯揚げ３０を収容するための帯揚げ用収容部１１ｂとが、収容ケース１０の幅方向において交互に配置されていても良い。
【００４３】
また、本実施の形態において、カバー１２が単一の部材として構成されている例について説明したが、これに限られるものではない。例えば、カバー１２が、それぞれが異なる収容部１１を覆うように構成された複数の部材から構成されていても良い。
【００４４】
さらに、本実施の形態において、収容ケース１０が、１枚の布状の部材４０から作製される例について説明したが、これに限られるものではない。例えば、図示はしないが、収容ケース１０が、複数枚の布状の部材４０から作製されても良い。
【００４５】
上記実施の形態および変形例に開示されている複数の構成要素を必要に応じて適宜組合せることも可能である。あるいは、上記実施の形態および変形例に示される全構成要素から幾つかの構成要素を削除してもよい。
【符号の説明】
【００４６】
１０      収容ケース
１１      収容部
１１ａ    帯締め用収容部
１１ｂ    帯揚げ用収容部
１２      カバー
２０      帯締め
２１      紐部
２２      房
３０      帯揚げ
４０      布状の部材
４１      折り目
４２      縫い目
４３      開口
４４      外縁
４５      側端部
【図１】
2019136449.tif 000003
【図２】
2019136449.tif 000004
【図３】
2019136449.tif 000005
【図４】
2019136449.tif 000006
【図５】
2019136449.tif 000007